(57)【特許請求の範囲】
【請求項１】
室内外の境界に設けられて開口を形成する枠体と、
前記枠体に回動可能に設けられ、前記開口を閉塞可能な障子と、
を備えた建具であって、
前記枠体は下枠を有し、
前記障子は、室内外方向一方側に面するとともに前記下枠に当接される当接面と、室内外方向他方側に面する反当接面と、当該障子の下端の反当接面側に弾性変形可能な緩衝材を有する下端構造体と、を有し、
前記当接面側における金属部分の下端は、前記反当接面側における金属部分の下端及び前記枠体のうちの下枠に設けられた金属部分の上端より低いことを特徴とする建具。
【請求項２】
請求項１に記載の建具であって、
前記障子は、矩形をなす枠状に形成された鋼製のフレームと、前記フレームの両面にそれぞれ設けられた鋼製の表面材とを有するパネル材を備え、
前記下端構造体は、前記フレーム側に固定されて前記緩衝材を支持するための支持部材を有し、
前記支持部材は、前記パネル材の下端側小口を覆うアルミニウム製の部材であることを特徴とする建具。
【請求項３】
請求項２に記載の建具であって、
前記支持部材は、前記当接面に沿う面を有する当接面側部位と、前記反当接面に沿う面を有する反当接面側部位と、を有し、
前記当接面側部位は、下端が前記反当接面側部位の下端より低く、前記当接面と面一であることを特徴とする建具。
【請求項４】
請求項１乃至請求項３のいずれかに記載の建具であって、
前記下端構造体の下端と前記下枠との間に空隙を有することを特徴とする建具。
【発明の詳細な説明】
【技術分野】
【０００１】
本発明は、室内外の境界に設けられて開口を形成する枠体と、枠体に回動可能に設けられた障子を備えた建具に関する。
【背景技術】
【０００２】
室内外の境界に設けられて開口を形成する枠体と、枠体に回動可能に設けられた障子を備えた建具としては、建物内部の空間を区画する間仕切壁に形成された開口を開閉するために蝶番を用いて回転可能に支持された障子としてのドアを備えた建具が知られている。このような建具のドアには、ドアを開いた際にドアを操作した者の足とドアの下端とが接触することを懸念して、ドアの下端において室内外の両面に断面が半球状の凸部を有し、ドアの下にて連結された軟質材料にて形成されたカバー部材が設けられている（特許文献１参照）。
【特許文献１】特開２００７−９６４６号公報
【発明の開示】
【発明が解決しようとする課題】
【０００３】
上記従来の建具のドアは、建物内部の空間を区画する間仕切壁に形成された開口を開閉するドアであって、火災の延焼や拡大を防ぐための、防火対応の扉としては機能しないという課題があった。
【０００４】
本発明は、かかる課題に鑑みてなされたものであり、その目的とするところは、下端部に緩衝材を備えつつも防火対応の扉として機能するドアを有する建具を提供することにある。
【課題を解決するための手段】
【０００５】
かかる目的を達成するために本発明の建具は、室内外の境界に設けられて開口を形成する枠体と、前記枠体に回動可能に設けられ、前記開口を閉塞可能な障子と、を備えた建具であって、前記枠体は下枠を有し、前記障子は、室内外方向一方側に面するとともに前記下枠に当接される当接面と、室内外方向他方側に面する反当接面と、当該障子の下端の反当接面側に弾性変形可能な緩衝材を有する下端構造体と、を有し、前記当接面側における金属部分の下端は、前記反当接面側における金属部分の下端及び前記枠体のうちの下枠に設けられた金属部分の上端より低いことを特徴とする建具である。
【０００６】
ここで、下枠に当接される当接面とは、下枠に間接的に当接する場合や直接的に当接する場合が挙げられる。  
このような建具によれば、下枠と当接される障子の当接面側における金属部分の下端は、下枠に設けられた金属部分の上端より低いので、高さ方向において障子の当接面側における金属部分と下枠の金属部分とが重なる領域が確保される。このため、障子の下端に弾性変形可能な緩衝材を備えつつも当該障子を防火対応の扉として用いることが可能である。このとき、反当接面側に下端構造体を配置することにより、反当接面側における金属部分が緩衝材より下に突出することを抑えることが可能である。
【０００７】
かかる建具であって、前記障子は、矩形をなす枠状に形成された鋼製のフレームと、前記フレームの両面にそれぞれ設けられた鋼製の表面材とを有するパネル材を備え、前記下端構造体は、前記フレーム側に固定されて前記緩衝材を支持するための支持部材を有し、前記支持部材は、前記パネル材の下端側小口を覆うアルミニウム製の部材であることが望ましい。  
このような建具によれば、下端構造体が有するアルミニウム製の支持部材が鋼製のフレーム及び表面材を有するパネル材の下端側小口を覆うので、パネル材の下端側にてフレーム及び表面材の端縁が外部に露出しない。このため、パネル材の下端部において表面材の捲れ及び剥がれや錆の発生を防止することが可能である。
【０００８】
かかる建具であって、前記支持部材は、前記当接面に沿う面を有する当接面側部位と、前記反当接面に沿う面を有する反当接面側部位と、を有し、前記当接面側部位は、下端が前記反当接面側部位の下端より低く、前記当接面と面一であることが望ましい。  
このような建具によれば、パネル材に支持部材を設けることにより、障子の当接面側における金属部分である当接面側部位の下端を、障子の反当接面側における金属部分である反当接面側部位の下端より低くした防火対応の扉を実現することが可能である。また、当接面側部位は当接面と面一なので、当接面側部位と当接面との境界部分であっても枠体にいずれも接触して隙間が生じないので枠体との間にて気密性及び水密性を確保することが可能である。
【０００９】
かかる建具であって、前記下端構造体の下端と前記下枠との間に空隙を有することが望ましい。  
このような建具によれば、下端構造体が有する緩衝材の下端と前記下枠との間に空隙を有するので、障子の開閉時に緩衝材が下枠と接触して摩耗したり損傷することはなく、また、建付けにおける経時変化や環境等による反りなどの変形が生じても、緩衝材が下枠と接触することを防止することが可能である。
【発明の効果】
【００１０】
本発明によれば、下端部に緩衝材を備えつつも防火対応の扉として機能するドアを有する建具を提供することができるという効果がある。
【発明を実施するための最良の形態】
【００１１】
以下、本発明の一実施形態に係る建具について図面を参照して説明する。本実施形態の建具は、室内外の境界に設けられて開口を形成する枠体と、枠体に回動可能に設けられた障子とを備えた建具として、建物の内外の境界に設けられる玄関用の建具を例に挙げて説明する。以下の説明では、建物の外側から見た状態にて上下となる方向を上下方向、及び左右となる方向を左右方向又は見付け方向として示す。尚、玄関ドア単体としての説明であっても、玄関ドアを枠体に取り付けた状態における上下を上下方向として示す。
【００１２】
本実施形態に係る建具１０は、図１に示すように、躯体に固定され開口を形成する枠体１４と、枠体１４に蝶番１３を介して回動可能に設けられ開口を閉塞可能な障子としての玄関ドア１２とを有している。
【００１３】
玄関ドア１２は、パネル材としてのドアパネル２０と、開閉する際の操作部となるハンドル３０と、玄関ドア１２の下端に下端構造体３２とを有しており、図２に示すように、戸先框側に設けられたハンドル３０を屋外側に移動させることにより玄関ドア１２が回動されて開口が開放される。本実施形態では、下端構造体３２を、弾性変形可能な緩衝材３３と、緩衝材３３を支持するための支持部材３４とで構成した例について説明する。
【００１４】
ドアパネル２０は、図３に示すように、パネル状の断熱部材２２と、断熱部材２２の周端部を囲むように矩形状に形成された樹脂製のフレーム２４と、玄関ドア１２の室内側の面（室内外方向一方側に面する面）であり当接面となる鋼製の内表面材２８と、玄関ドア１２の室外側の面（室内外方向他方側に面する面）である反当接面となる鋼製の外表面材２６と、戸先側に固定され枠体１４の左側の縦枠１９に当接される戸当り部材３１（図２）と、を有している。
【００１５】
フレーム２４は、ドアパネル２０の中央に向かって開放された溝部が全周に亘って形成された矩形状の枠であり、フレーム２４にて囲まれた領域に断熱部材２２が備えられている。断熱部材２２及びフレーム２４の表裏面側に設けられた外表面材２６または内表面材２８は、ドアパネル２０の周縁部にて全周に亘って外表面材２６は内表面材２８側に、内表面材２８は外表面材２６側にそれぞれ折り曲げられるとともに、リベット４０にてフレーム２４および鋼製の固定部材２３に固定されている。折り曲げられた外表面材２６の端縁２６ｂと内表面材２８の端縁２８ｂとは、ドアパネル２０の厚み方向に間隔が隔てられている。
【００１６】
下端構造体３２は、ドアパネル２０の下端に屋外側に位置させて設けられた弾性変形可能な軟質部材でなる緩衝材３３と、ドアパネル２０の下側の小口を覆うように設けられ緩衝材３３を支持するための支持部を有する支持部材３４とで構成され、ドアパネル２０の下端に固定されている。また、支持部材３４の戸先側及び吊元側の端部には当該端部を覆うキャップ３５（図２）が設けられている。図１及び図２では、吊元側のキャップは省略されている。
【００１７】
玄関ドア１２の下部における下端構造体３２の構造及び下枠１５との当接状態を、図２、図３を参照して説明する。
【００１８】
下端構造体３２の支持部材３４は、枠体１４に当接される内表面材２８の当接面２８ａに沿う面を有する当接面側部位３４ａと、外表面材２６の表面に沿う面を有する反当接面側部位３４ｂとを有している。
【００１９】
当接面側部位３４ａは、内表面材２８の当接面２８ａと面一に形成され、上端部が内表面材２８に当接されている。反当接面側部位３４ｂは、外表面材２６の表面に沿う面が、外表面材２６の表面側にて下端部分を覆うとともに下方に延設されている。当接面側部位３４ａと反当接面側部位３４ｂとは、各々の上端側にて連結部３４ｃにて連結されている。連結部３４ｃは、当接面側部位３４ａ及び反当接面側部位３４ｂと直交するほぼ板状の部位であり、支持部材３４がドアパネル２０に取り付けられた際には、上面がドアパネル２０の下面と対面する。連結部３４ｃには、下端構造体３２をドアパネル２０に固定するためのねじ５１が貫通される貫通孔（不図示）が、支持部材３４の長手方向に沿って適宜間隔を隔てて複数設けられている。本実施形態では、フレーム２４を樹脂製とし、支持部材３４をセルフタップねじにて固定することとしたので、フレーム２４にも貫通孔を設け、ねじ５１は連結部３４ｃ及びフレーム２４を貫通しフレーム２４の内側に設けられている鋼製の固定部材２３に螺合される。
【００２０】
また、連結部３４ｃの上面には、ドアパネル２０の厚み方向に貫通孔を挟むように長手方向に沿う２本のリブ３４ｄが設けられている。このリブ３４ｄは、支持部材３４がドアパネル２０に固定された際に、ドアパネル２０と連結部３４ｃの上面との間に、内表面材２８及び外表面材２６をドアパネル２０に固定しているリベット４０の頭部を収容する空隙が形成されるように構成されている。
【００２１】
連結部３４ｃの下面側であってドアパネル２０の外表面材２６側には、反当接面側部位３４ｂと一部を共有して緩衝材３３の保持部３６が形成されている。
【００２２】
キャップ３５は、支持部材３４の戸先側の縁部を覆うとともにドアパネル２０に固定されている戸当り部材３１の下端部を覆っている。戸当り部材３１は、縦枠１９の外面に当接されるためドアパネル２０の外表面より外側に設けられている。このため、キャップ３５も戸先部分だけ外側に突出されている。キャップ３５の突出部分３５ａの下面には、支持部材３４に設けられた保持部３６と繋がるように保持部３７が設けられている。
【００２３】
緩衝材３３は、支持部材３４とキャップ３５の保持部３６、３７の全域に渡って、ドアパネル２０の厚み方向において室外側の領域に設けられた発泡ウレタンやゴムなどの弾性変形可能な軟質部材である。また、緩衝材３３は、玄関ドア１２の幅方向に渡ってほぼ全域に設けられる細長いほぼ直方体状の部材であり、支持部材３４とキャップ３５との間にて屈曲変形させて取り付けられている。そして、上部には長手方向に沿って、支持部材３４とキャップ３５の保持部３６、３７に保持される取付片３３ａが突出されている。
【００２４】
下枠１５は、アルミニウムの押出成形材でなる下枠本体１６と、下枠本体１６に設けられ玄関ドア１２の周縁部が当接されるゴム製のシール部材１７と、下枠本体１６に設けられ下枠本体１６の室内側の部位を覆う樹脂製の化粧材１８とを有している。
【００２５】
下枠本体１６は、室外側の土間面１１と水平な面を形成する下枠土間部１６ａと、下枠土間部１６ａの室内側の縁部から上方に延出された鉛直壁部１６ｂと、鉛直壁部１６ｂの室外側に設けられ室外側に向かう開口を有しシール部材１７が固定されるシール保持部１６ｃと、鉛直壁部１６ｂの室内側に設けられ上方に向かう開口を有し化粧材１８が固定される化粧材保持部１６ｄとを有している。
【００２６】
ドアパネル２０に下端構造体３２が固定さられた玄関ドア１２が取り付けられた状態では、玄関ドア１２の当接面２８ａ側における金属部分の下端としての当接面側部位３４ａの下端３４ｅは、玄関ドア１２の反当接面２６ａ側における金属部分の下端としての支持部材３４に設けられた保持部３６の下端３６ａより低く形成されている。すなわち、玄関ドア１２の当接面２８ａ側に設けられている金属部分のうち最も下に位置する部位である当接面側部位３４ａの下端３４ｅは、玄関ドア１２の反当接面２６ａ側に設けられている金属部分のうち最も下に位置する部位である保持部３６の下端３６ａより低く形成されている。そして、保持部３６に取り付けられた緩衝材３３の下端３３ｂと当接面側部位３４ａの下端３４ｅとがほぼ同じ高さに位置している。
【００２７】
また、玄関ドア１２が閉じられた状態では、緩衝材３３及び当接面側部位３４ａが下枠１５の下枠土間部１６ａと上下方向に間隔を隔てて配置されるとともに、当接面側部位３４ａがシール部材１７に当接されている。このとき、下枠１５に設けられた金属部分の上端は、シール保持部１６ｃの上端１６ｆとなっている。本実施形態の建具１０は、防火性を考慮して、当接面側部位３４ａの下端３４ｅとシール保持部１６ｃの上端１６ｆとの上下方向における間隔は、３ｍｍ以上となるように、また、高齢者に配慮して化粧材保持部１６ｄの室内側の縁部１６ｅ又は化粧材１８の上端と下枠土間部１６ａの上面との間隔は２０ｍｍ以下となるように構成されている。
【００２８】
上記実施形態の建具１０によれば、玄関ドア１２の周縁部が当接される当接面２８ａ側の金属部分、すなわち当接面側部位３４ａの下端３４ｅは、下枠１５のシール保持部１６ｃの上端１６ｆより低いので、高さ方向において玄関ドア１２の当接面２８ａ側の金属部分と下枠１５の金属部分とが重なる領域が確保される。このため、玄関ドア１２の下部に緩衝材３３を備えつつも当該玄関ドア１２を防火対応の扉として用いることが可能である。このとき、支持部材３４に設けられた保持部３６の下端３６ａは、当接面側部位３４ａの下端３４ｅより高いので、反当接面２６ａ側に緩衝材３３を配置することにより当接面側部位３４ａの下端が露出することを抑え、かつ緩衝材３３を玄関ドア１２が移動される側（開放される側）に配置することが可能である。従って、屋外側（開放方向側から）から玄関ドア１２を開放した際に、玄関ドア１２を操作した者の足と玄関ドア１２の下端とが接触することが万が一生じたとしても、玄関ドア１２の屋外側下端には金属製の反当接面２６ａよりも弾性変形可能な緩衝材３３の方が突出している為、操作した者の足の怪我を抑制することが可能である。
【００２９】
また、アルミニウム製の支持部材３４がフレーム２４や外表面材２６及び内表面材２８を有するドアパネル２０の下端側小口を覆うので、ドアパネル２０の下端側にてフレーム２４や外表面材２６及び内表面材２８の端縁が外部に露出しない。このため、ドアパネル２０の下端部において外表面材２６及び内表面材２８の捲れ及び剥がれや錆の発生を防止することが可能である。
【００３０】
また、ドアパネル２０に支持部材３４を設けることにより、玄関ドア１２の当接面２８ａ側の金属部分である当接面側部位３４ａの下端３４ｅを、玄関ドア１２の反当接面２６ａ側の金属部分である反当接面側部位３４ｂの下端３６ａより低くした防火対応の扉を実現することが可能である。また、当接面側部位３４ａは当接面２８ａと面一なので、玄関ドア１２と枠体１４との間にて気密性及び水密性を確保することが可能であるとともに、意匠性も向上する。
【００３１】
また、玄関ドア１２の下端と土間面１１及び下枠土間部１６ａとの間に空隙を有するので、玄関ドア１２の開閉時に緩衝材３３が土間面１１及び下枠土間部１６ａ等と接触して摩耗したり損傷することはなく、また、建付けにおける経時変化や環境等による反りなどの変形が生じても、玄関ドア１２が土間面１１及び下枠土間部１６ａ等と接触することを防止することが可能である。
【００３２】
上記実施形態においては、フレーム２４を樹脂製としたが、鋼製としてもよい。この場合には、固定部材２３を設けることなく、下端構造体３２を固定するためのねじ５１を直接フレーム２４に螺合することが可能である。
【００３３】
また、上記実施形態においては、下端構造体３２を緩衝材３３と支持部材３４とで構成した例について説明したが、これに限るものではない。例えば、弾性変形可能な緩衝材と、支持部材とを、接着、溶着又は一体成形等にて一部品として構成してもよい。
【００３４】
また、支持部材３４をアルミニウム製としたが、樹脂製や鋼製としてもよく、樹脂製の場合では、金属製の外表面材２６、内表面材２８の下端をそれぞれ反当接面側の金属部分の下端、当接面側の金属部分の下端とすればよい。
【００３５】
また、外表面材２６や内表面材２８を鋼製としたが、外表面材２６や内表面材２８の全ての部分を鋼製にする必要は無く、一部が他の材質で構成されていてもよい。例えば、ガラスや樹脂、木等の非金属や、鋼以外の他の金属でもよい。また、外表面材２６や内表面材２８を鋼を用いずに構成してもよい。
【００３６】
また、固定部材２３は鋼以外の材質でもよく、他の金属、例えばステンレスやアルミニウムであってもよい。
【００３７】
また、上記実施形態においては、アルミニウム製の支持部材３４をドアパネル２０の下端に取り付けて、当接面２８ａ側の金属部分の下端が当接面側部位３４ａの下端３４ｅとなり、反当接面２６ａ側の金属部分の下端が支持部材３４に設けられた保持部３６の下端３６ａとなるように構成したが、これに限るものではない。例えば、図４（ａ）に示すように、フレーム２４を、当接面２８ａ側が反当接面２６ａ側より低くなるような段差を有するように形成し、反当接面２６ａ側の凹部２４ａに収容される下端構造体３８を設けても良い。また、図４（ｂ）に示すように、フレーム２４の下側にフレーム２４の下面に重ねて固定される固定板部４４ａと固定板部４４ａの室内側の縁部から下方に垂設される垂板４４ｂとを有する金属性の延出部材４４を設け、ドアパネル２０側から延びる外表面材２６及び内表面材２８を延出部材４４の端縁を覆うように形成してもよい。この場合には、緩衝材３３の屋外側の面が反当接面２６ａとほぼ面一となるように下端構造体３８が固定される。本実施形態では、緩衝材３３を保持する保持部３６が下方に開放された形状をなし、緩衝材３３の上部に設けられた取付片３３ａが下方から挿入される例について説明したが、図４（ｃ）に示すように、保持部３６が屋外側に開放されている形状をなし、緩衝材３３の屋内側の面に設けられた取付片３３ａが屋外側から挿入されることとしても良い。
【００３８】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【図面の簡単な説明】
【００３９】
【図１】本実施形態に係る建具を屋外側から見た外観図である。
【図２】玄関ドアを開いた状態を示す斜視図である。
【図３】玄関ドアの下部と下枠との当接状態説明するための縦断面図である。
【図４】図４（ａ）は、下端構造体の第１変形例を示す縦断面図である。図４（ｂ）は、下端構造体の第２変形例を示す縦断面図である。図４（ｃ）は、下端構造体の第３変形例を示す縦断面図である。
【符号の説明】
【００４０】
１０  建具、１２  玄関ドア、１４  枠体、１５  下枠、１６ｅ  縁部、
２０  ドアパネル、２４  フレーム、２６  外表面材、２６ａ  反当接面、
２８  内表面材、２８ａ  当接面、３２  下端構造体、３３  緩衝材、
３４  支持部材、３４ａ  当接面側部位、３４ｂ  反当接面側部位、３４ｃ  連結部
【図１】
0004818217.tif 000002
【図２】
0004818217.tif 000003
【図３】
0004818217.tif 000004
【図４】
0004818217.tif 000005